(57)【特許請求の範囲】
【請求項１】
互いに対向する成形面を有する下型及び上型と、前記上型と前記下型の間に形成される成形空間を包囲する胴型とを備えた成形型の内部にガラス素材を配置して、加熱により軟化した前記ガラス素材をプレス成形することにより、
前記下型の成形面、前記上型の成形面、及び前記胴型の内周面を、それぞれ転写してなる下型被転写面、上型被転写面、及び外周面を有するガラスレンズを製造するにあたり、
前記下型の成形面と前記上型の成形面の少なくとも一方における、前記下型被転写面又は前記上型被転写面の光学有効径の外側に相当する部位に、平面転写部を形成しておくとともに、前記平面転写部のさらに外側には、対向する他方の成形面側に突出する凸部を前記平面転写部が形成された前記下型又は前記上型と一体に形成しておき、
前記平面転写部に前記ガラス素材を接触させるとともに、前記凸部の少なくとも一部に前記ガラス素材が接触しないようにしてプレス成形を行うことを特徴とするガラスレンズの製造方法。
【請求項２】
前記平面転写部が、前記成形型の中心軸と垂直な平面を有することを特徴とする請求項１のガラスレンズの製造方法。
【請求項３】
前記凸部が、前記成形面の外周縁に沿って形成されていることを特徴とする請求項１に記載のガラスレンズの製造方法。
【請求項４】
前記凸部が、成形面の半径方向中心側に位置する内側面と、成形面の半径方向外側に位置する外側傾斜面とを有し、前記外側傾斜面の少なくとも一部に、ガラス素材が接触しないようにしてプレス成形を行うことを特徴とする請求項１〜３のいずれか１項に記載のガラスレンズの製造方法。
【請求項５】
前記成形型の中心軸を含む平面にそれぞれ、前記内側面を投影したときの高さをＬ、前記外側傾斜面を投影したときの高さをＭとしたときに、Ｌ≧Ｍであることを特徴とする請求項４に記載のガラスレンズの製造方法。
【請求項６】
前記ガラス素材の重量ばらつきが、所定の値に対して±０．１〜３％であることを特徴とする請求項１〜５のいずれか１項に記載のガラスレンズの製造方法。
【請求項７】
製造されるガラスレンズの体積が、１〜１５０ｍｍ３であることを特徴とする請求項１〜６のいずれか１項に記載のガラスレンズの製造方法。
【請求項８】
溶融ガラスを受け型に流下、又は滴下することによって予備成形したガラス素材を用いることを特徴とする請求項１〜７のいずれか１項に記載のガラスレンズの製造方法。
【請求項９】
所定の光学有効径を有する二つのレンズ面と、光軸に平行な外周面とを有するとともに、
前記レンズ面の少なくともいずれか一方における光学有効径の外側に、成形型の転写によって形成した第一被転写面と、自由表面とを有し、
前記第一被転写面は、光軸に垂直な平坦面と、前記平坦面より光軸方向レンズ内部側にある第一の面とを有し、
前記自由表面が、前記平坦面より光軸方向レンズ内部側にあり、かつ、前記第一の面より前記光学有効径の外側にあることを特徴とするガラスレンズ。
【請求項１０】
前記外周面が、前記成形型の光軸に平行な内周面の転写によって形成された第二被転写面であることを特徴とする請求項９に記載のガラスレンズ。
【請求項１１】
互いに対向する成形面を有する下型及び上型と、前記上型と前記下型の間に形成される成形空間を包囲する胴型とを備えたモールドプレス成形型であって、
前記下型の成形面と前記上型の成形面の少なくとも一方の、得ようとするガラスレンズの光学有効径の外側に相当する部位に形成された前記成形型の中心軸と垂直な平面を有する平面転写部と、前記平面転写部のさらに外側に位置し、かつ、対向する他方の成形面側に突出するように前記平面転写部が形成された前記下型又は前記上型と一体に形成された凸部とを有するとともに、
前記凸部が、成形面の半径方向中心側に位置する内側面と、成形面の半径方向外側に位置する外側傾斜面とを有しており、
前記成形型の中心軸を含む平面にそれぞれ、前記内側面を投影したときの高さをＬ、前記外側傾斜面を投影したときの高さをＭとしたときに、Ｌ≧Ｍであることを特徴とするモールドプレス成形型。
【発明の詳細な説明】
【技術分野】
【０００１】
本発明は、ガラス素材を用いた精密モールドプレスによって製造されるガラスレンズであって、特に、小径で、容積の小さなガラスレンズを、種々の光学機器に取り付ける際の位置精度を高く維持しつつ、生産効率よく、高い歩留まり率で安定して量産することができるガラスレンズ、このようなガラスレンズの製造方法、及びこのような方法に好適なモールドプレス成形型に関する。
【背景技術】
【０００２】
一般に、精密モールドプレスによりガラスレンズなどの光学素子を製造するにあたっては、プレス成形された成形体に、芯取り加工を施して最終形状とすることにより所定形状の光学素子を製造する方法や、芯取り加工を省略して、成形装置から取り出した成形体をそのまま最終形状とする方法が知られている。
ここで、芯取り加工とは、成形体の外周など（多くの場合、プレス成形によって形成された自由表面部）を研磨し、不要な部位を除去するとともに、得ようとする光学素子の外径中心軸と、光軸とを一致させることをいう。
【０００３】
例えば、特許文献１には、予備成形された所定重量の成形素材から、プレス成形、芯取り加工を経て、所定形状の光学素子を製造する方法が記載されている。
【０００４】
一方、プレス成形後の芯取り加工を不要とする方法として、特許文献２には、上型及び下型の円柱部外径寸法を、成形ガラスレンズの有効径寸法より所定量だけ大きく設定し、上型の成形面側には有効径より外方で、かつ光学機能面と連接するような位置における外縁部に、テーパー状に面取り仕上げを施して所定寸法の面取部を形成する成形金型により光学素子を成形する方法が記載されている。
【０００５】
また、特許文献３には、変形量の大きいガラス素材で一発成形する際、バリのない外径精度の良いレンズを短い成形時間で供給できる型構造として、成形面外周にＲあるいはＣ面取を施した型構造が記載されている。
【０００６】
また、特許文献４には、加熱軟化した光学素子材料を加圧成形する成形面を有する一対の成形型と、少なくとも一方の成形型に装着される環状の外形型とを備え、外径型は成形される光学素子の外径を規制する外径規制部と、光学素子の外径を規制しない外径非規制部とを有し、さらに光学素子の成形時に余剰の光学素子材料を収容可能な空間を有するように構成する成形装置により光学素子を成形する方法が記載されている。
【０００７】
また、特許文献５には、所定温度に加熱したガラスレンズ素材を押圧成形する成形型と、成形型の側面に所定に当接するごとく前進、後退するスライドコア部とを具備し、成形型にスライドコア部が当接した状態において成形型とスライドコア部との間にガラスレンズ素材の一部が流入可能な空間部を設けた成形装置によりガラスレンズを成形する方法が記載されている。
【０００８】
また、特許文献６には、このようなプレス成形に適用されるガラス体の成形方法が記載されている。
【０００９】
【特許文献１】特開２００５−９７０９９号公報
【特許文献２】特開平９−１６５２２６７号公報
【特許文献３】特開平５−７０１５５号公報
【特許文献４】特開２０００−１３２３号公報
【特許文献５】特開昭６０−１７１２３５号公報
【特許文献６】特許第２７４６５６７号公報
【発明の開示】
【発明が解決しようとする課題】
【００１０】
ところで、近年において、携帯端末用の小型撮像機器や、光ピックアップ、さらには、光通信などにおいて用いられている光学レンズは、小型化と、高い光学性能との両立が求められており、その要求精度は益々高くなっている。
【００１１】
これらの用途に求められるレンズは、例えば、レンズ径が１〜５ｍｍ程度であり、最も薄い部分の薄肉も０．１〜１ｍｍ程度となっているが、このような小型のレンズを、精密モールドプレスによって製造する場合、特許文献１のように、プレス成形後に芯取り加工を行おうとしても、レンズ径が小さいために扱いにくいばかりか、最小肉厚が１ｍｍにも満たないような薄肉レンズは、芯取り加工の際に破損してしまいやすい。
【００１２】
このため、成形後の成形体に芯取り加工を施す際には、成形体を芯取り装置に設置するための工数がかかる上、光軸を決定する芯出しの精度を高く行うことも困難であり、芯出し精度が不十分である場合には、外径中心軸と、光軸との一致性が悪くなるため、得られたレンズを搭載した光学機器の光学性能に影響するという問題がある。
【００１３】
したがって、上記のような芯取り加工を省略して、プレス成形によりレンズの光学機能面を成形するとともに、外周部も胴型などの型部材によって成形して外径を画定し、レンズの光学機能面と外形までも含めた最終形状をプレス成形によって形成する方法が有利である。
【００１４】
しかしながら、このような方法では、上下型の成形面を転写してなるレンズの面とともに、外周面にも成形型の各部材が接触するようにプレス成形をすることによって、レンズ形状を画定する必要があり、プレス成形に用いるガラス素材の容積を、得ようとするレンズの容積と正確に一致させることが求められる。そして、ガラス素材の容積が過大であると、所定肉厚に達するまで上下型を接近させたときに、型部材の隙間にガラス素材の一部が侵入してバリとなり、逆に、ガラス素材の容積が不足するとレンズの形状が不定形になってしまう。
【００１５】
ところが、プレス成形に用いるガラス素材は、例えば、ブロック状の光学ガラスから所定の大きさに切り出し、研磨によって球形などに冷間加工したり、溶融ガラスを受け型に滴下、又は流下しつつ適切な手段で分離し、受け型内で固化して予備成形（熱間成形）したりすることによって作製することができるが、いずれの場合も、ガラス素材を均一な容積とするのは容易でない。
【００１６】
特に、熱間成形によるガラス素材の作製は、コスト効率がきわめて良いものの、溶融ガラスを滴下、又は流下させる際に、溶融ガラスの表面張力の影響を大きく受ける。
このため、特許文献６に記載された方法によれば、予備成形されたガラス素材（ガラス体）は、表面にキズや汚れ等の欠陥がなく、重量精度の高いガラス素材を得ることができるとされているものの、一定の間隔や流量で溶融ガラスを滴下、又は流下したとしても、ガラス素材の容積が均一となるように管理するのは、ガラス素材の容積の大小にかかわらず困難であり、特に、容積が小さく軽量になったときに困難となる傾向が強い。
【００１７】
したがって、例えば、携帯端末などに搭載される撮像系や、光ピックアップなどに好適な小径、薄肉のレンズの容積は、１〜６０ｍｍ３程度であり、許容される容積のばらつきが０．１〜０．５％以内となることがあるが、このような条件下で、ガラス素材の容積を一定にするのは非常に難しく、ガラス素材の容積のばらつきによって、レンズ面の外縁近傍に生じるわずかな形状の不均一でさえ、許容されないものとなる。
【００１８】
一方、ガラス素材の容積のばらつきを吸収して、芯取り加工を不要とするものとして、前述したような特許文献２〜５に記載されているような方法があり、特許文献２では、上型の外縁部にテーパー状の面取仕上げを施すことにより、その部分にレンズ素材の体積ばらつきからくる余剰の光学素材が流入することによって、体積ばらつきを吸収し、芯取り作業を不要にしている。
【００１９】
しかしながら、特許文献２の方法では、成形されるレンズのいずれかのレンズ面に不定形の突起が形成されてしまうため、光学機器に取付ける際に他の部品との位置決めができず、また、この不定形の突起となった部分が欠けやすいという問題があり、特許文献３でも同様に、成形型のＲあるいはＣ面取部分に入ったガラスが不定形の突起となり、上記と同様の問題を生じる。
【００２０】
また、特許文献４では、外径非規制部を外径型の内周面に形成した切り欠きとし、余剰の光学素子材料を収容することによって、成形後の芯取り作業を必要とせず、簡易な方法でレンズの外径が規制された光学素子を製造することができるとしているが、成形されるレンズの外径が規制されるのは、外径規制部に相当する一部分のみであるため、外周が不定形のレンズとなる上、レンズ個体間でも形状が一定せず、光学機器への取り付けが困難となる。
【００２１】
また、特許文献５では、供給するレンズ素材の容積のバラツキを大きな範囲で許容するとともに、芯取り作業を不要とするとしているものの、ここでもレンズの有効径外に、余剰のレンズ素材からなる不定形の凸部が形成されるため、レンズ外径寸法は一定であっても、レンズ外縁の形状が一定でなく、レンズの取り付け位置や、取り付け方に制約を生じ、このレンズを光学機器に取り付ける際に支障となる。
【００２２】
このように、プレス成形に用いる成形型の形状を工夫し、プレス成形によって光学機能面と外形までを含めた光学素子の最終形状を得る場合には、レンズを搭載する機器の用途に応じた所望の形状に均一に製造されなければならず、プレス成形による成形体が不定形の自由表面を有していたり、個体間での不均一な形状であったりしてはならない。また、仮にガラス素材の容積を均一にできたとしても、プレス成形の際に上下型の間でガラス素材が中心位置からずれた状態であると、偏肉が生じ、上記したバリや、形状不良と同様の問題が生じやすい。
【００２３】
特に、光学機器に搭載するに際して、レンズ面に、光軸に垂直な面を含む平坦面を後加工により形成し、レンズを取り付ける際の取り付け基準面とする場合があり、このような平坦面を形成するにあたっては、その基準面としての機能が十分に発揮されるようにするが好ましく、また、このような平坦面をもプレス成形によって形成し、後加工を不要とすることも望まれる。
【００２４】
本発明は、上記の事情に鑑み、本発明者らが鋭意検討を重ねた結果なされたものであって、プレス成形におけるガラス素材の容積のばらつきを吸収しつつ、種々の光学機器に取り付けられる際の位置決めを高い精度で、確実に行うことができるガラスレンズ、そのようなガラスレンズを、生産効率よく、高い歩留まり率で安定して量産することができるガラスレンズの製造方法、及びこのような方法に好適なモールドプレス成形型の提供を目的とする。
【課題を解決するための手段】
【００２５】
上記目的を達成するため本発明に係るガラスレンズの製造方法は、互いに対向する成形面を有する下型及び上型と、前記上型と前記下型の間に形成される成形空間を包囲する胴型とを備えた成形型の内部にガラス素材を配置して、加熱により軟化した前記ガラス素材をプレス成形することにより、前記下型の成形面、前記上型の成形面、及び前記胴型の内周面を、それぞれ転写してなる下型被転写面、上型被転写面、及び外周面を有するガラスレンズを製造するにあたり、前記下型の成形面と前記上型の成形面の少なくとも一方における、前記下型被転写面又は前記上型被転写面の光学有効径の外側に相当する部位に、平面転写部を形成しておくとともに、前記平面転写部のさらに外側には、対向する他方の成形面側に突出する凸部を前記平面転写部が形成された前記下型又は前記上型と一体に形成しておき、前記平面転写部に前記ガラス素材を接触させるとともに、前記凸部の少なくとも一部に前記ガラス素材が接触しないようにしてプレス成形を行う方法としてある。
【００２６】
このような方法とすることにより、ガラス素材の容積のばらつきを吸収しつつ、種々の光学機器への取り付け精度の高いガラスレンズを、歩留まりよく、安定して製造することができる。前記胴型は、前記下型及び前記上型を収容するとともに、前記下型及び前記上型のプレス軸に直交する方向の相互位置を規制する胴型とすることができる。
【００２７】
また、本発明に係るガラスレンズの製造方法は、前記平面転写部が、前記成形型の中心軸と垂直な平面を有する方法とすることができる。
このようにすれば、平面転写部により、得られるガラスレンズに光軸に直交する面を有する平坦面が転写形成され、この平坦面を種々の光学機器に取り付ける際の基準面として機能させる上で好ましい。
【００２８】
また、本発明に係るガラスレンズの製造方法は、前記凸部が、前記平面転写部のさらに外側に位置する方法とするが、このようにすれば、基準面となる平坦面が光学機能面の近くに形成されるようになり、得られるガラスレンズを光学機器に取り付ける際の精度を高くすることができる。
【００２９】
また、本発明に係るガラスレンズの製造方法は、前記凸部が、前記成形面の外周縁に沿って形成されている方法とすることができる。
このようにすれば、得られるガラスレンズにおいて、胴型の内周面が転写されて形成される外周面の径を肉厚方向に沿って一定としつつ、光軸と平行に形成されている部分の面積を十分に確保することができる。
【００３０】
また、本発明に係るガラスレンズの製造方法は、前記凸部が、成形面の半径方向中心側に位置する内側面と、成形面の半径方向外側に位置する外側傾斜面とを有し、前記外側傾斜面の少なくとも一部に、ガラス素材が接触しないようにしてプレス成形を行う方法とすることができ、このとき、成形型の中心軸を含む平面にそれぞれ、前記内側面を投影したときの高さをＬ、前記外側傾斜面を投影したときの高さをＭとしたときに、Ｌ≧Ｍとなるようにすれば、得られるガラスレンズに形成される自由表面が、常に、平坦面を含む面と、外周面を含む面とによって囲まれる領域内に位置し、レンズの外形を規定する面内にあるため、自由表面が、レンズを取り付ける際の基準面となる平坦面や、外周面から外方に突出せず、ガラスレンズの取り付け精度が低下するのを有効に回避することができる。
【００３１】
また、本発明に係るガラスレンズの製造方法は、前記ガラス素材の重量ばらつきが、所定の値に対して±０．１〜３％であり、また、製造されるガラスレンズの体積が、１〜１５０ｍｍ３であるときに好適であって、さらに、プレス成形に供されるガラス素材の容積管理の困難な、溶融ガラスを受け型に流下、又は滴下することによって予備成形したガラス素材を用いる場合に特に適している。
【００３２】
また、本発明に係るガラスレンズは、所定の光学有効径を有する二つのレンズ面と、光軸に平行な外周面とを有するとともに、前記レンズ面の少なくともいずれか一方における光学有効径の外側に、成形型の転写によって形成した第一被転写面と、自由表面とを有し、前記第一被転写面は、光軸に垂直な平坦面と、前記平坦面より光軸方向レンズ内部側にある第一の面とを有し、前記自由表面が、前記平坦面より光軸方向レンズ内部側にあり、かつ、前記第一の面より前記光学有効径の外側にある構成としてある。
【００３３】
このような構成とすることにより、プレス成形におけるガラス素材の容積のばらつきを吸収しつつ、種々の光学機器への取り付け精度の高いガラスレンズとすることができる。
また、本発明にかかるガラスレンズは、前記外周面が、前記成形型の光軸に平行な内周面の転写によって形成された第二被転写面である構成とすることができる。
【００３４】
また、本発明に係るモールドプレス成形型は、互いに対向する成形面を有する下型及び上型と、前記上型と前記下型の間に形成される成形空間を包囲する胴型とを備えたモールドプレス成形型であって、前記下型の成形面と前記上型の成形面の少なくとも一方の、得ようとするガラスレンズの光学有効径の外側に相当する部位に形成された前記成形型の中心軸と垂直な平面を有する平面転写部と、前記平面転写部のさらに外側に位置し、かつ、対向する他方の成形面側に突出するように前記平面転写部が形成された前記下型又は前記上型と一体に形成された凸部とを有するとともに、前記凸部が、成形面の半径方向中心側に位置する内側面と、成形面の半径方向外側に位置する外側傾斜面とを有しており、前記成形型の中心軸を含む平面にそれぞれ、前記内側面を投影したときの高さをＬ、前記外側傾斜面を投影したときの高さをＭとしたときに、Ｌ≧Ｍである構成としてある。
前記胴型は、前記下型及び前記上型を収容するとともに、前記下型及び前記上型のプレス軸に直交する方向の相互位置を規制するものとすることができる。
このような構成とすることで、上記のようなガラスの製造方法に好適に利用して、プレス成形におけるガラス素材の容積のばらつきを吸収しつつ、種々の光学機器への取り付け精度の高いガラスレンズを、歩留まりよく、安定して製造することができるようになり、また、得られるガラスレンズを光学機器に取り付ける際の精度を高くする上で、前記凸部は、前記平面転写部よりもさらに外側に位置させている。
【発明の効果】
【００３５】
以上のように、本発明によれば、ガラス素材の容積管理の限界を超えるような、容積の小さな光学素子を高精度に製造する場合に、たとえ、プレス成形に供するガラス素材の容積にばらつきがあったとしても、そのばらつきを吸収して、生産効率よく、高い歩留まり率で安定してガラスレンズを量産することができる。また、得られるガラスレンズは、種々の光学機器に取り付けられる際の位置決め精度が高く、かつ、その位置決めも確実に行えるものである。
【発明を実施するための最良の形態】
【００３６】
以下、本発明の好ましい実施形態について、図面を参照しつつ説明する。
【００３７】
本実施形態では、図１に示すように、成形型の内部にガラス素材５０を配置し、公知のプレス成形装置を用いて、加熱により軟化したガラス素材５０をプレス成形する。
ここで、図１は、ガラス素材５０をプレス成形するプレス工程の概略を示す説明図であり、成形型は、上型１０、下型２０、及び胴型３０を備えて構成されている。そして、これらの型部材の素材には、金属のほか、超硬合金、酸化ケイ素、窒化ケイ素などの硬質素材を用いることができる。
【００３８】
成形型を構成する上型１０と下型２０には、成形しようとするガラスレンズの形状をもとに精密な形状加工を施すことによって、互いに対向する成形面１４，２４が形成されている。
また、胴型３０は、上型１０と下型２０の間に形成される成形空間を包囲する機能をもつとともに、上下型１０，２０を収容し、上下型１０，２０の中心軸Ｃ１に直交する方向の相互位置を規制しており、これによって、上下型１０，２０の同軸性が確保されている。
このため、上下型１０，２０と胴型３０とのクリアランスは、要求される光学素子の偏心精度を考慮すると１０μｍ以下、特に、５μｍ以下とすることが好ましく、成形しようとする光学素子に要求される光学性能に応じて、さらに小さくすることもできる。
【００３９】
本実施形態にあっては、このような一対の上下型１０，２０と、胴型３０を備えた成形型により、上下型１０，２０の成形面１４，２４と、中心軸Ｃ１に平行な胴型３０の内周面３４を、それぞれ転写してなる上型被転写面５２、下型被転写面５３、及び胴型被転写面５４を有する成形体５１を成形する（図２参照）。
このとき、転写面となる上下型１０，２０の成形面１４，２４や、胴型３０の内周面３４には、ガラス素材５０との融着を防止するとともに、プレス成形時の滑り性を向上させるために、例えば、貴金属膜、炭素膜、水素化炭素膜などの公知の離型膜を形成することができる。
【００４０】
本実施形態において、上記のようにして成形された成形体５１は、芯取り加工などの後加工を施すことなく、そのままガラスレンズとすることができ、成形体５１の下型被転写面５３、上型被転写面５２がそれぞれ、レンズとしての第一面、第二面（又は、その逆）となり、胴型被転写面５４がレンズの外周面となる（図３参照）。
なお、一般に、レンズ面は、光学機器に取り付けられる状態において、物体（光源）側を第一面、像側を第二面とするが、本発明においては、いずれの側を上型１０側または下型２０側としても良い。図示するガラスレンズ５１は、上型被転写面５２が第二面となり、下型被転写面５３が第一面となるものを例に挙げている。
【００４１】
このように、本実施形態では、プレス成形のみの一工程でガラスレンズ５１の最終形状を形成するため、得られるガラスレンズ５１の形状精度がきわめて高く、例えば、レンズの外径変動を±５μｍ以内、好ましくは±３μｍ以内とするとともに、レンズの外径中心軸と、光軸Ｃ２との一致性も±５μｍ以内として、レンズの外周面５４を光軸Ｃ２と平行とすることができる。
【００４２】
また、本実施形態にあっては、このようにしてガラスレンズ５１を製造するにあたり、図１（ｃ）において鎖線で囲む部分を図２に拡大して示すように、下型２０の成形面２４において、レンズの第一面（下型被転写面）５３の光学有効径Ｄ１の外側に相当する部位と、上型１０の成形面１４において、レンズの第二面（上型被転写面）５２の光学有効径Ｄ２の外側に相当する部位に、それぞれ平面転写部２５，１５を形成してある。
ここで、図３に概念的に示すように、光学有効径Ｄ１，Ｄ２は、結像面Ｐに結像する光束が通過する最外周部分であり、各レンズ面に対して設定される。各面の光学機能面(所定の球面、非球面などの光学機能を呈する形状をもった面)は、光学有効径と等しいか、又はそれより大きい径をもつ。
【００４３】
このような、平面転写部２５，１５は、図３に示すように、ガラスレンズ５１の光学有効半径Ｄ１，Ｄ２の外側に、平坦面５３１，５２１を転写形成するものであり、この平坦面５３１，５２１は、光軸Ｃ２と平行に形成された外周面５４とともに、携帯端末などに搭載される撮像系や、光ピックアップなどの種々の光学機器に、ガラスレンズ５１を取り付ける際の基準面として機能させることができる。
【００４４】
したがって、ガラスレンズ５１に形成される平坦面５３１，５２１は、これを基準面として機能させる上で、レンズの光軸Ｃ２に直交する面となっているのが好ましく、このためには、上下型１０，２０の成形面１４，２４に形成される平面転写部１５，２５が、中心軸Ｃ１と垂直な平面を有しているのが好ましい。
これにより、種々の光学機器に取り付ける際のレンズの位置決めを、光軸Ｃ２に直交する平坦面５３１，５２１や、光軸Ｃ２と平行な外周面５４を利用して、高精度に行うことができ、例えば、取り付けられる光学機器の他部品や、他のレンズに対する偏心（特に、軸の傾き）を防止することができる。
【００４５】
なお、図示する例では、ガラスレンズ５１の第一面５３と第二面５２の両方に、平坦面５３１，５２１が形成されるようにしているが、このような平坦面５３１，５２１は、レンズ面５３，５２の少なくとも一方の位置決めのための基準面が必要な面に形成されていればよい。
【００４６】
ところで、プレス成形のみによって、ガラスレンズ５１の外径中心軸と、光軸Ｃ２とを一致させるには、レンズ面５３，５２とともに、外周面５４にも成形型の各型部材が接触するようにプレス成形をすることによって、レンズ形状を画定する必要があり、一般には、プレス成形に用いるガラス素材５０の容積は、得ようとするレンズの容積と一致していなければならない。
【００４７】
しかしながら、ガラス素材５０を均一な容積とするのは容易でなく、ガラス素材５０の容積がばらつくなどして、その容積が過大となると、上下型１０，２０と胴型３０との隙間にガラス素材５０の一部が侵入してバリとなり、ガラスレンズ５１の周縁に不定形な突起が形成されることによって、平坦面５３１，５２１の基準面としての機能が損なわれてしまう。
一方、バリの発生を避けるために、ガラス素材５０の容積を少なめに設定するなどして、その容積が不足してしまうと、ガラスレンズ５１の外周面５４の面積が十分に確保できなくなってしまう。
【００４８】
このため、本実施形態では、上型１０の成形面１４に、平面転写部１５とともに、対向する下型２０の成形面２４側に突出する凸部１６を形成してあり、プレス成形の際に、平面転写部１５にガラス素材５０を接触させるとともに、凸部１６の少なくとも一部にガラス素材５０が接触しないようにしてある。
【００４９】
これにより、凸部１６の形状の一部がガラス素材５０に転写されるが、凸部１６の他の部分がガラス素材５０に転写されず、凸部１６の形状が転写されない部分のガラス素材５０の表面は自由表面５５となる。そして、このような凸部１６に接触せずに自由表面５５となる部分が形成されことによって、ガラス素材５０の容積のばらつきを吸収することができるようにしてある。
【００５０】
また、図２に示す例では、上型１０の成形面１４に形成されている凸部１６は、成形面１４の半径方向中心側に位置する内側面１６ａと、成形面１４の半径方向外側に位置する外側傾斜面１６ｂとを有するように、成形面１４の外周縁に沿って形成されており、外側傾斜面１６ｂの一部に、ガラス素材５０が接触しないようにしてプレス成形を行うようにしてある。
【００５１】
このようにすると、図示するように、外側傾斜面１６ｂと、胴型３０の内周面３４とに囲まれる部分に自由表面が５５形成され、この部分でガラス素材５０の容積のばらつきを吸収する一方で、胴型３０の内周面３４が転写されて形成される外周面５４の径を、ガラスレンズ５１の肉厚方向に沿って一定としつつ、光軸Ｃ２と平行に形成されている部分の面積を十分に確保することができる。
そして、ガラスレンズ５１を光学機器に取り付ける際の精度をより高くするためには、平面転写部１５のさらに外側に凸部１６が位置するようにして、基準面となる平坦面５２１が光学機能面の近くに形成されるようにするのが好ましい。
【００５２】
また、本実施形態にあっては、凸部１６の具体的な形状は特に限定されないが、図４（ａ）に示すように、中心軸Ｃ１を含む平面にそれぞれ、凸部１６の内側面１６ａを投影したときの高さをＬ、外側傾斜面１６ｂを投影したときの高さをＭとしたときに、Ｌ≧Ｍとなるようにするのが好ましい。ここで、Ｍの大きさは、ガラス素材５０の容積のばらつきに起因する、容積吸収の必要量に応じて選択することができる。
このようにすることで、ガラスレンズ５１に形成される自由表面５５が、常に、平坦面５２１を含む面と、外周面５４を含む面とによって囲まれる領域内に位置することとなり、自由表面５５が、レンズを取り付ける際の基準面となる平坦面５２１や、外周面５４から外方に突出することがない。これにより、ガラスレンズ５１の取り付け精度が低下するのを有効に回避することができる。
【００５３】
なお、このような凸部１６を形成するにあたっては、例えば、図４（ａ）に示すように、内側面１６ａが平面転写部１５（平坦面５２１）に対して傾斜平面となっていてもよく、または、図４（ｂ）に示すように、平面転写部１５（平坦面５２１）に対して内側面１６ａが曲面となっていてもよく、図４（ｃ）に示すように、凸部１６が、内側面１６ａが垂直に立ち上がった面となった段差状となるように形成されていてもよい。
本実施形態では、上記内側面１６ａは、傾斜平面、又は曲面であるのが好ましく、その場合、凸部１６を中心軸Ｃ１と垂直な平面に投影したときの、凸部１６の内側面１６ａの長さＰと、外側傾斜面１６ｂの長さＱの関係は、Ｐ＞Ｑであることがより好ましい。このようにすることで、Ｐの傾斜角を抑制し、光学機能面近傍での歪の形成を抑止できる。
また、自由表面５５が形成される部分の幅（中心軸Ｃ１に垂直な面に投影したときの幅）が大きいほど、ガラス素材５０の容積のばらつきをより多く吸収することができるが、レンズの取り付け精度をより高く確保するためには、自由表面５５の幅は、基準面となる平坦部５２１の幅（同様に投影した幅）より小さくなるようにするのが好ましい。したがって、外側傾斜面１６ａの幅(中心軸Ｃ１に垂直な面に投影したときの幅)Ｑは、平面転写部１５（平坦部５２１）の幅より小さく、より好ましくは、1／１０以下が好ましい。
【００５４】
また、図示する例では、上型１０の成形面１４にのみ、凸部１６を形成しているが、ガラス素材５０の容積のばらつきを吸収するために形成される凸部は、基準面とされる平坦面を転写形成する平面転写部とともに形成される限り、いずれの成形面１４，２５に設けても良い。
凸部１６を形成することにより、ガラス素材５０の容積のばらつきを吸収してバリの発生を抑制し、これによってガラスレンズ５１に形成される平坦面の位置決め機能が損なわれないようにすることに鑑みれば、光学機器に取付ける際の基準面が必要な側や、取り付け精度の感度が高い側に設けるのが好ましい。
【００５５】
また、いずれのレンズ面５３，５２に対応する成形面１４，２４に設けるかについて自由度がある場合には、ガラスレンズ５１のレンズ面５３，５２の光学有効径Ｄ１，Ｄ２の大きさによって決めることができる。
例えば、図示する例のように、第二面５２の光学有効径Ｄ２の方が小さい場合には、第二面５２を形成する上型１０の成形面１４に凸部１６を形成するというようにすると、光学有効径Ｄ２の外側の部分の面積が比較的広くなり、基準面となる平坦面５２１の面積や、凸部１６の幅を十分に確保することができるため好ましい。
【００５６】
なお、図示する例では、ガラスレンズ５１の第一面５３が凸面、第二面５２が平面となるようにしているが、上下型１０，２０に形成される成形面１４，２４は、得ようとするガラスレンズ５１の形状に応じて、凹面、凸面、平面のいずれとすることもでき、また、凹面や、凸面とする場合には、その面形状は、球面、非球面のいずれであってもよく、図示する例には限られない。
【００５７】
本実施形態では、以上のようにしてガラス素材５０をプレス成形することによってガラスレンズ５１を製造するが、図１に示す例では、下型２０と上型１０とが離間した状態で待機している成形型に対し、図示しない吸着パッド付の搬送アームなどによって、予備成形（図示する例では球形状に成形）したガラスプリフォームなどのガラス素材５０を供給し、下型２０の成形面２４上にガラス素材５０を載置するようにしている（図１（ａ）参照）。
【００５８】
そして、胴型３０内に下型２０を組み込んで（図１（ｂ）参照）、例えば、ガラス素材５０の粘度が１０５〜１０１０ｄＰａ・ｓとなるように、成形型ごとガラス素材５０をプレス成形に適した温度に昇温させた後に、成形型の上方からプレスヘッド９０により成形型にプレス荷重を印加して、ガラス素材５０をプレス成形する（図１（ｃ）参照）。
【００５９】
このようにしてプレス成形を行うに際し、ガラス素材５０を加熱により軟化させるには、上記したように、ガラス素材５０を成形型内に配置した後に、成形型とともにガラス素材５０を昇温させてもよいが、成形型とガラス素材５０とを別々に昇温させてから、ガラス素材５０を成形型内に配置するようにしてもよい。
【００６０】
また、成形型とガラス素材５０とを別々に昇温させる場合には、成形型とガラス素材５０を、ともに上記と同様の温度に昇温させてもよいが、例えば、ガラス素材５０を１０５〜１０９ｄＰａ・ｓの粘度相当の温度に昇温させる一方、ガラス素材５０の粘度で１０９〜１０１２ｄＰａ・ｓ相当の温度に成形型を昇温しておき、ガラス素材５０を成形型内に配置した後に、直ちにプレス成形するようにしてもよい。
このようにすれば、成形型の温度が相対的に低くなり、成形型の昇温、降温のサイクルタイムを短縮できるとともに、成形型の熱による劣化を抑制できるため好ましい。
【００６１】
いずれの場合であっても、プレス成形開始後に冷却を開始し、必要に応じて適切な荷重スケジュールを適用しつつ、成形面１４，２４とガラス素材５０との密着を維持しながら、１０１３ｄＰａ・ｓ程度の粘度相当の温度までガラス素材５０（成形体５１）を降温させた後に、プレスヘッド９０を上昇させてプレス荷重を解除し、成形体５１の取り出しを行う。
【００６２】
以上のような本実施形態において、適用されるガラス素材５０の形状は特に限定されず、その製法も限定されない。
ガラス素材５０は、例えば、ブロック状の光学ガラスから所定の大きさに切り出し、研磨によって球形などに冷間加工したり、溶融ガラスを受け型に滴下、又は流下しつつ適切な手段で分離し、受け型内で固化して予備成形（熱間成形）したりすることによって作製することができる。
【００６３】
冷間加工によって小径のガラス素材５０を予備成形する場合、比較的均一な形状や、容積に加工することが可能であるが、工数がかかり、研磨によって廃棄されるガラスも相当量になり、また形状も球や円盤など、限られた形状となる。
一方、熱間成形による場合は、ガラス素材５０の容積を一定に維持することが困難であるという不利があるものの、表面にキズや汚れなどの欠陥のないガラス素材５０を得ることができる上、生産効率が非常に高いという点で有利である。
したがって、ガラス素材５０の容積にばらつきがあっても、レンズを光学機器に取り付ける際の基準面となる平坦面５２１や、外周面５４を十分な面積で形成しつつ、ガラス素材５０の容積のバラツキを吸収することができる本実施形態は、熱間成形によりガラス素材５０が作製される場合に好適である。
【００６４】
また、熱間成形において、溶融ガラスから、例えば、球形状のガラス素材５０を予備成形するには、例えば、図５に示すように、溶融ガラス５０ａを、白金などからなる流出パイプ８０から自然滴下させ、又は切断刃で切断することによって所定単位に分離させた上で落下させ、受け型９０の凹部９１で直接受けるか、あるいは、図６に示すように、流出パイプ８０から落下する溶融ガラス５０ａを受け型９０の受け部９３によって受け、その後、溶融ガラス５０ａが凹部９１に収容されるようにする。
このとき、流出パイプ８０は、周囲に設けられたヒータ８１によって適切に温度制御され、流出パイプ８０から一定の流量で滴下するよう、溶融ガラス５０ａの粘度の調節を行う。
【００６５】
溶融ガラス５０ａが凹部９１に収容される際には、凹部９１に設けられた細孔９２から気体を吹き出し、溶融ガラス５０ａと凹部９１との間に気体の層が形成されるようにする。このようにして、表面が軟化点以下の温度に達するまで、溶融ガラス５０ａは浮上し、細孔９２から噴出する気体により支えられながら、凹部９１の内面との瞬間的な接触を繰り返すなどし、凹部９１の内面と実質的に非接触の状態で、ガラス表面が軟化点以下となるまで保持される。
このようにして、ほぼ球形に予備成形されたガラス素材５０は、浮上状態のまま、又は軟化点以下の温度で浮上状態を解除して、室温まで冷却される。
【００６６】
本実施形態に適用するガラス素材５０は、上記のような球形状のほか、球を扁平にした両凸曲面の形状とすることができる。ガラス素材５０が球形状であるとき、その真球度は、長径と短径の差で、１０μm以下であることが好ましい。
【００６７】
また、ガラス素材５０の容積は、そのばらつきが、所定の値に対して±０．１〜３％とすることができ、本実施形態によれば、このような範囲のガラス素材５０の容積のばらつきが存在しても、得られるガラスレンズ５１の取り付け精度の劣化を抑止することができ、量産上極めて有利である。
【００６８】
また、ガラス素材５０の容積のばらつきは、得ようとするガラスレンズ５１の容積が小さいときに、特に外径形状に影響するため、厳しい制約を受けるが、本実施形態にあっては、例えば、ガラスレンズ５１の容積が１〜１５０ｍｍ３であっても、歩留まりを低下させることなく、取り付け精度の高いガラスレンズ５１を製造することができ、特に、小型撮像系や、光ピックアップレンズなど、容積が１〜６０ｍｍ３の範囲にあるレンズ、さらには、３〜２０ｍｍ３の範囲にあるレンズに対して、本実施形態の効果が顕著となる。
【００６９】
以上、本発明について、好ましい実施形態を示して説明したが、本発明は、前述した実施形態にのみ限定されるものではなく、本発明の範囲で種々の変更実施が可能であることはいうまでもない。
【００７０】
また、本発明におけるガラスレンズ５１の用途には限定はない。例えば、ピックアップ用の対物レンズ、通信用レンズ、小型の撮像系用レンズなどに適している。
【産業上の利用可能性】
【００７１】
本発明は、ガラスレンズなどの種々の光学素子を製造するにあたり、広く利用することができる。
【図面の簡単な説明】
【００７２】
【図１】本発明に係るガラスレンズの製造方法の実施形態の概略を示す説明図である。
【図２】図１（ｃ）において鎖線で囲む部分を拡大して示す要部拡大図である。
【図３】本発明に係るガラスレンズの実施形態を示す説明図である。
【図４】成形面に形成される凸部の例を示す説明図である。
【図５】ガラス素材を予備成形する一例を示す説明図である。
【図６】ガラス素材を予備成形する他の例を示す説明図である。
【符号の説明】
【００７３】
１０      上型
１４      成形面
１５      平面転写部
１６      凸部
１６ａ    内側面
１６ｂ    外側傾斜面
２０      下型
２４      成形面
２５      平面転写部
３０      胴型
３４      内周面
５０      ガラス素材
５１      成形体（ガラスレンズ）
５２      上型被転写面
５２１    平坦面
５３      下型被転写面
５３１    平坦面
５５      自由表面
Ｃ１      中心軸
Ｃ２      光軸
Ｄ１      第一面の光学有効径
Ｄ２      第二面の光学有効径
【図１】
0004792139.tif 000002
【図２】
0004792139.tif 000003
【図３】
0004792139.tif 000004
【図４】
0004792139.tif 000005
【図５】
0004792139.tif 000006
【図６】
0004792139.tif 000007